(57)【要約】      （修正有）【課題】脱落防止効果を備えた歯間ブラシを提供する。【解決手段】脱落防止効果を備えた歯間ブラシは、歯間ブラシのブラシワイヤー上に複数の定位区３１１を成型し、各定位区３１１は底壁３１２、底壁３１２側辺に位置する側壁３１３、及び底壁３１２、側壁３１３に取り囲まれる収容設置空間３１４を備え、同時に、相互に隣接する各定位区３１１の収容設置空間３１４中に設置する底壁３１２は、異なる方向を向いて設置し、これにより各隣接する収容設置空間３１４と持ち手３３間との接触方向は異なり、この時、底壁３１２の外縁幅とブラシワイヤー外径上の変化を適時に加えることができれば、ブラシワイヤーと持ち手３３との二重係合固定定位能力をさらに強化でき、ブラシワイヤーが外力作用を受け、脱落し、或いは回転する等の状況の発生を回避でき、使用の安全性を向上させることができる。【選択図】図３
0003184683.tif 000002
【実用新案登録請求の範囲】
【請求項１】
脱落防止効果を備えた歯間ブラシは、少なくともワイヤーを交差させ絡ませて構成するブラシワイヤー、前記ブラシワイヤーのワイヤーに絡まれて挟持されるブラシ、及び前記ブラシワイヤー上に固定して設置される持ち手を備え、前記ブラシワイヤー上には、複数の定位区を成型し、前記各定位区は、底壁、前記底壁側辺に位置する側壁、及び前記底壁、前記側壁に取り囲まれる収容設置空間を備え、同時に、相互に隣接する各定位区の底壁は、異なる方向を向いて設置し、これにより前記各隣接する収容設置空間と前記持ち手間との接触方向は異なり、前記持ち手内部と前記各定位区との結合と定位に有利となることを特徴とする脱落防止効果を備えた歯間ブラシ。
【請求項２】
前記各隣接する定位区は、相互に交差させて設置することを特徴とする請求項１に記載の脱落防止効果を備えた歯間ブラシ。
【請求項３】
前記各底壁の外縁幅は、前記ブラシワイヤーの外径より大きいことを特徴とする請求項１或いは２に記載の脱落防止効果を備えた歯間ブラシ。
【請求項４】
前記各底壁の外縁幅は、前記ブラシワイヤーの外径に等しいことを特徴とする請求項１或いは２に記載の脱落防止効果を備えた歯間ブラシ。
【考案の詳細な説明】
【技術分野】
【０００１】
本考案は歯間ブラシに係わり、特に脱落防止効果を備えた歯間ブラシに関する。
【背景技術】
【０００２】
図１に示すように、従来の歯間ブラシ１は、ブラシワイヤー１１、複数のブラシ１２、持ち手１３を備える。ブラシワイヤー１１は、複数のワイヤーを絡ませて構成し、しかも各ブラシ１２は、ブラシワイヤー１１に挟まれて定位される。持ち手１３は、可塑性材料により一体成型し、ブラシワイヤー１１を覆って包む。使用時には、手で持ち手１３を持ち、口腔内(図示なし)に挿入して、各ブラシ１２を利用し、歯間の掃除作業を行う。しかし、ブラシワイヤー１１は、持ち手１３のプラスチック材質を利用して覆って包むため、その係合固定効果は充分でない。これにより、使用の過程において、使用者が歯間ブラシ１に対して、前後移動及び回転等の力を加えると、ブラシワイヤー１１は非常に脱落しやすい。深刻な場合には、脱落したブラシワイヤー１１を誤って飲み込んでしまうという状況も発生し得るため、消費者にとって使用上の危険が存在する。
【０００３】
上記した歯間ブラシの係合固定力不足の問題を解決するため、本考案人は、特許文献１「脱落防止効果を備えた歯間ブラシ」を提出した。該構造は、ブラシワイヤー上に定位区をプレス成型し、定位区の外縁幅がブラシワイヤー外径より大きいという特性を利用し、ブラシワイヤーを、持ち手内に堅固に係合して固定するものである。
本考案人は、特許文献２「歯間ブラシの製造方法」も提出している。該構造では、ブラシワイヤー上にプレス方式により、外縁幅がブラシワイヤー直径より大きい複数の拡張区を形成し、しかも各拡張区の最大外径は、持ち手上の穿孔の孔径より大きい。すなわち、本考案人の上記した二種の特許文献は共に、ブラシワイヤーと持ち手の係合固定及び定位を達成することができる。しかし、実際の使用により、なお改善すべき点が発見された。本考案は、従来の脱落防止効果を備えた歯間ブラシの上記した改善点に鑑みてなされたものである。
【先行技術文献】
【特許文献】
【０００４】
【特許文献１】台湾実用新案第Ｍ３１４５５０号
【特許文献２】台湾特許第Ｉ３７４０２４号
【考案の概要】
【考案が解決しようとする課題】
【０００５】
本考案が解決しようとする課題は、ブラシワイヤーと持ち手との二重係合固定により定位能力を効果的に増強し、外力作用を受けることによるブラシワイヤーの脱落或いは回転等を回避でき、使用の安全性を向上させられる脱落防止効果を備えた歯間ブラシを提供することである。
【課題を解決するための手段】
【０００６】
上記課題を解決するため、本考案は下記の脱落防止効果を備えた歯間ブラシを提供する。
脱落防止効果を備えた歯間ブラシは、ブラシワイヤー、複数のブラシ、持ち手を備え、該歯間ブラシのブラシワイヤー上には、複数の定位区を成型し、該各定位区は、底壁、該底壁側辺に位置する側壁、及び該底壁、該側壁に取り囲まれる収容設置空間を備え、同時に、相互に隣接する各定位区の収容設置空間上の底壁は、異なる方向を向いて設置し、該ブラシワイヤーと該持ち手との二重係合固定と定位効果を提供できるばかりか、この時、適時に該底壁の外縁幅と該ブラシワイヤー外径とのサイズ変化を加えることができれば、該ブラシワイヤーと該持ち手との二重係合固定と定位能力をさらに強化でき、該ブラシワイヤーが外力を受け、脱落し、或いは回転する等の状況の発生を効果的に回避でき、使用の安全性を高めることができる。
【考案の効果】
【０００７】
本考案の脱落防止効果を備えた歯間ブラシは、ブラシワイヤーと持ち手との二重係合固定により定位能力を効果的に増強し、外力を受けることによるブラシワイヤーの脱落或いは回転等を回避でき、使用の安全性を向上させられる。
【図面の簡単な説明】
【０００８】
【図１】従来の歯間ブラシの模式図である。
【図２】本考案歯間ブラシの実施例の立体模式図である。
【図３】本考案歯間ブラシの実施例の側視図である。
【図４】本考案歯間ブラシの図３の断面図である。
【図５】本考案歯間ブラシの実施例の別種の断面図である。
【図６】本考案歯間ブラシの実施例のさらに別種の側視図である。
【図７】本考案歯間ブラシの図６の断面図である。
【考案を実施するための形態】
【０００９】
以下に図面を参照しながら本考案を実施するための最良の形態について詳細に説明する。
【実施例】
【００１０】
本考案脱落防止効果を備えた歯間ブラシ３の実施例である図２に示すように、歯間ブラシ３は、少なくともワイヤー３１０を交差させ絡ませて構成するブラシワイヤー３１、ブラシワイヤー３１のワイヤー３１０に絡まれて挟持されるブラシ３２、ブラシワイヤー３１上に固定して設置される持ち手３３を備える。持ち手３３上には、穿孔３３１を開設し、これにブラシワイヤー３１を挿入して設置し、しかも穿孔３３１内に固定して定位する。
【００１１】
図３に合わせて示すように、本実施例において、ブラシワイヤー３１は、２本のワイヤー３１０を例として交差させ絡ませて構成する。しかも、各ブラシ３２は、各ブラシワイヤー３１のワイヤー３１０に絡まれて挟持される。これにより、各ブラシ３２は横方向に、ブラシワイヤー３１外に伸び出て、しかもブラシワイヤー３１上には、複数の定位区３１１を成型する。本実施例中では、２個の定位区３１１を例として説明する。各定位区３１１は、底壁３１２、底壁３１２側辺に位置する側壁３１３、及び底壁３１２、側壁３１３に取り囲まれる収容設置空間３１４を備える。図中では、１個の定位区３１１の収容設置空間３１４だけを図示する。さらに、相互に隣接する各定位区３１１の底壁３１２は、異なる方向を向いて設置する。これにより、各隣接する収容設置空間３１４と持ち手３３との間の接触方向が異なるだけでなく、各定位区３１１は、相互に交差して設置される。また、各隣接する定位区３１１の底壁３１２が向く方向は、相互に垂直に交差した形態を呈する(図４参照)。或いは、各定位区３１１の底壁３１２が向く方向は、相互に傾斜し、しかも特定角度に限らない交差形態を呈する(図５参照)。本実施例では、垂直交差形態についてのみ説明を行うが、これにより二重係合固定作用を提供でき、持ち手３３内部は、ブラシワイヤー３１の複数の定位区３１１と安定的かつ堅固に結合して定位される。さらには、持ち手３３とブラシワイヤー３１との間の係合固定効果を高めるため、底壁３１２は、異なる型態に形成することができる。また、底壁３１２の外縁幅Ｄは、ブラシワイヤー３１の直径ｄより大きく(図３、４参照)、或いは底壁３１２の外縁幅Ｄは、ブラシワイヤー３１の直径ｄに等しく(図６、７参照)することができる。本実施例では、図４の図示を例として説明を行う。
【００１２】
図２〜図４に示すように、歯間ブラシ３の製造工程では、プレス設備(図示なし)を利用し、ブラシワイヤー３１を成型する。ブラシワイヤー３１の適当な位置には、複数の扁平な定位区３１１をプレス成型する。これにより、ブラシワイヤー３１上には、少なくとも２個の相互に対応する収容設置空間３１４を形成し、こうして各定位区３１１は相互に交差して設置され、ブラシワイヤー３１全体は、単一の柱体ではない形態を呈することができる。各定位区３１１の底壁３１２は、相互に異なる方向を向いて設置され、これにより収容設置空間３１４と持ち手３３との結合時には、異なる方向の係合固定効果を形成することができる。そのため、ブラシワイヤー３１を穿孔３３１に挿入して設置後、持ち手３３に包まれる時、ブラシワイヤー３１は、各定位区３１１の交差設置を利用し、持ち手３３との間に、二重係合固定定位を形成することができる。この時、底壁３１２外縁幅Ｄがブラシワイヤー３１の直径ｄより大きく設置されていれば、持ち手３３とブラシワイヤー３１との間の緊密な係合固定と定位を、より有効に提供することができる。
よって、使用者が使用過程で、歯間ブラシ1に対して前後移動及び回転等作用の力を加えたとしても、ブラシワイヤー３１が外力作用を受けて、脱落し或いは回転する等の状況の発生を回避することができる。
なぜなら、各定位区３１１は交差し、しかも異なる方向を向いて設計されているため、ブラシワイヤー３１と持ち手３３との間には、二重係合固定効果を備えるからである。
また、ブラシワイヤー３１が、使用中に脱落し、誤って飲み込んでしまうという状況の発生を心配する必要がなく、使用の安全性を向上させられる。
【００１３】
上記したように、本考案は、ブラシワイヤー上に複数の定位区を開設し、同時に各定位区の底壁を異なる方向に設計することで、ブラシワイヤーと持ち手との間の二重係合固定効果を提供することができる。この時、底壁の外縁幅がブラシワイヤー外径より大きいという変化を適時に加えることができれば、ブラシワイヤーと持ち手に二重係合固定と定位能力を提供することができる。これにより、ブラシワイヤーが外力作用を受け、脱落し或いは回転する等の状況の発生を回避でき、使用の安全性を向上させることができる。
【００１４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１５】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１６】
１    歯間ブラシ
１１  ブラシワイヤー
１２  ブラシ
１３  持ち手
３    歯間ブラシ
３１  ブラシワイヤー
３２  ブラシ
３３  持ち手
３１０  ワイヤー
３１１  定位区
３１２  底壁
３１３  側壁
３１４  収容設置空間
Ｄ      定位区の外縁幅は、
ｄ      ブラシワイヤーの直径
【図１】
0003184683.tif 000003
【図２】
0003184683.tif 000004
【図３】
0003184683.tif 000005
【図４】
0003184683.tif 000006
【図５】
0003184683.tif 000007
【図６】
0003184683.tif 000008
【図７】
0003184683.tif 000009